(57)【要約】【課題】主催者側の商品の選択の負担及び受取人の持ち帰り等の負担をなくすことができるとともに、ポイント型ギフト券に過不足が生じても、ポイント型ギフト券を追加購入あるいは別途利用の選択ができるギフトセットを提供する。【解決手段】商品カタログ１２と、ポイント型ギフト券１３と、申込カード１４及び返信用封筒１５とからなるギフトセット１１であって、商品カタログ１２は、複数種類の商品、当該商品の説明文、当該商品のポイント数、商品申込番号を掲載した商品紹介欄２２を有し、ポイント型ギフト券１３は、ポイント数が異なる複数種類の金券であり、該金券の一部には切り取り線２５を挟んで控え券２６を有し、申込カード１４は、申込者が記入する、氏名、住所、電話番号等の届け先記入欄２７、申込番号、数量、ポイント数等の複数の申込商品記入欄２８、氏名、電話番号等の申込者名記入欄２９を有するとともに、該カードの一部に切り取り線３２を挟んで申込者控えカード３３を有していることを特徴とする。【選択図】      図１
2008207382.tif 000002
【特許請求の範囲】
【請求項１】
少なくとも商品カタログと、ポイント型ギフト券と、申込カード及び前記ポイント型ギフト券と申込カードを同封して郵送するための返信用封筒とからなるギフトセットであって、
前記商品カタログは、複数種類の商品、当該商品の説明文、当該商品のポイント数、商品申込番号を掲載した商品紹介欄を有し、
前記ポイント型ギフト券は、ポイント数が異なる複数種類の金券であり、該金券の一部には切り取り線を挟んで控え券を有し、
前記申込カードは、申込者が記入する、氏名、住所、電話番号等の届け先記入欄、申込番号、数量、ポイント数等の複数の申込商品記入欄、氏名、電話番号等の申込者名記入欄を有するとともに、該カードの一部に切り取り線を挟んで申込者控えカードを有し、
前記返信用封筒は、該表面に配送センター宛の住所が印刷されていることを特徴とするギフトセット。
【請求項２】
前記商品カタログは、ポイント数の少ない小額の商品からポイント数の多い高額の商品まで複数種類の商品が掲載されたブック型カタログであることを特徴とする請求項１記載のギフトセット。
【請求項３】
前記ポイント型ギフト券は、１円が１ポイントに相当する１０００ポイント券、５０００ポイント券及び１００００ポイント券の３種類であり、各券には有効期限が表示されていることを特徴とする請求項１または２記載のギフトセット。
【請求項４】
前記申込カードの申込商品記入欄には、申込商品が施設利用の場合であって、予め予約した際の予約番号を記入する予約番号記入欄が設けられていることを特徴とする請求項１〜３のいずれかに記載のギフトセット。
【請求項５】
贈答人から贈答された商品カタログ、ポイント型ギフト券、申込カード及び返信用封筒をセットしたギフトセットを受取人が受け取り、受取人が前記商品カタログから希望する商品を選択し、前記申込カードに所定事項を記入する第１の手段と、前記申込カードに記入した商品に相当するポイント数に応じたポイント型ギフト券を前記申込カードとともに返信用封筒に同封して配送センター宛に郵送する第２の手段とからなるギフトシステムであって、
前記第２の手段において、希望する商品に相当するポイント数に対し、手持ちのポイント型ギフト券に過不足が生じたとき、該ポイント型ギフト券を追加購入あるいは別途利用の選択ができることを特徴とするギフトシステム。
【発明の詳細な説明】
【技術分野】
【０００１】
本発明は、例えば、婚礼の出席者への引き出物、葬儀の会葬者への返礼あるいは中元、歳暮等の贈答に用いられるギフトセット及びギフトシステムに関する。
【背景技術】
【０００２】
例えば、婚礼の引き出物の場合、主催者側が予め用意した引き出物を披露宴会場で、各出席者に手渡し、披露宴終了後に各出席者が持ち帰るのが一般的であった。しかし、引き出物の内容によって異なるが、手提げ袋に入れたとしても、嵩張り、重くなり、持ち帰る人の負担になっていた。
【０００３】
このような負担を解消するために、引き出物を披露宴の宴席で出席者に手渡ししないで、引き出物を贈呈する対象者個別の引き出物セットを特定の第三者に委託し、その出席が帰宅後に宅配届けする贈答システムが知られている（例えば、特許文献１参照。）。
【０００４】
また、引き出物を披露宴の宴席で出席者に手渡ししないで、ギフトセットを贈呈し、出席者である受取人がギフトセットの商品カタログに掲載された複数種類の商品の中から好みの商品を選択し、後日配送業者から商品を受け取る方式も知られている（例えば、特許文献２参照。）。
【特許文献１】特許第３０２３６５８号公報
【特許文献２】特開２００２−１６０４７４号公報
【発明の開示】
【発明が解決しようとする課題】
【０００５】
ところで、特許文献１のものは、引き出物の商品は、主催者（贈呈者）側が選択する方式であり、受取人にとっては自分の好みではない商品である場合や同一商品を既に所持しており、受取人側が持て余すことがある。さらに、特許文献２においては、前述のような問題を解消できるが、主催者側が受取人に贈るポイント数に限られるため、商品カタログに掲載されているポイント数の特定の商品に限定される。つまり、ポイント数以上の商品を希望してもポイント不足で断念せざるを得ない。また、現在のところ、商品カタログに掲載されている商品は不要であっても、商品カタログに掲載されている商品から選択せざるを得ない。
【０００６】
本発明は、前記事情に着目してなされたもので、その目的とするところは、例えば、婚礼の引き出物を出席者に手渡ししないで、ギフトセットを贈呈し、出席者である受取人がギフトセットの商品カタログに掲載された複数種類の商品の中から好みの商品を選択して配送業者から商品を受け取ることができ、主催者側の商品の選択の負担及び受取人の持ち帰り等の負担をなくすことができるとともに、ギフトセットにポイント型ギフト券を同封し、希望する商品に相当するポイント数に対し、手持ちのポイント型ギフト券に過不足が生じても、ポイント型ギフト券を追加購入あるいは別途利用の選択ができるギフトセット及びギフトシステムを提供することにある。
【課題を解決するための手段】
【０００７】
本発明は、前記目的を達成するために、請求項１は、少なくとも商品カタログと、ポイント型ギフト券と、申込カード及び前記ポイント型ギフト券と申込カードを同封して郵送するための返信用封筒とからなるギフトセットであって、前記商品カタログは、複数種類の商品、当該商品の説明文、当該商品のポイント数、商品申込番号を掲載した商品紹介欄を有し、前記ポイント型ギフト券は、ポイント数が異なる複数種類の金券であり、該金券の一部には切り取り線を挟んで控え券を有し、前記申込カードは、申込者が記入する、氏名、住所、電話番号等の届け先記入欄、申込番号、数量、ポイント数等の複数の申込商品記入欄、氏名、電話番号等の申込者名記入欄を有するとともに、該カードの一部に切り取り線を挟んで申込者控えカードを有し、前記返信用封筒は、該表面に配送センター宛の住所が印刷されていることを特徴とするギフトセットにある。
【０００８】
請求項２は、請求項１の前記商品カタログは、ポイント数の少ない小額の商品からポイント数の多い高額の商品まで複数種類の商品が掲載されたブック型カタログであることを特徴とする。
【０００９】
請求項３は、請求項１または２の前記ポイント型ギフト券は、１円が１ポイントに相当する１０００ポイント券、５０００ポイント券及び１００００ポイント券の３種類であり、各券には有効期限が表示されていることを特徴とする。
【００１０】
請求項４は、請求項１〜３のいずれかに記載の前記申込カードの申込商品記入欄には、申込商品が施設利用の場合であって、予め予約した際の予約番号を記入する予約番号記入欄が設けられていることを特徴とする。
【００１１】
請求項５は、贈答人から贈答された商品カタログ、ポイント型ギフト券、申込カード及び返信用封筒をセットしたギフトセットを受取人が受け取り、受取人が前記商品カタログから希望する商品を選択し、前記申込カードに所定事項を記入する第１の手段と、前記申込カードに記入した商品に相当するポイント数に応じたポイント型ギフト券を前記申込カードとともに返信用封筒に同封して配送センター宛に郵送する第２の手段とからなるギフトシステムであって、前記第２の手段において、希望する商品に相当するポイント数に対し、手持ちのポイント型ギフト券に過不足が生じたとき、該ポイント型ギフト券を追加購入あるいは別途利用の選択ができることを特徴とするギフトシステムにある。
【発明の効果】
【００１２】
本発明によれば、次のような効果がある。
【００１３】
（ａ）例えば、婚礼の引き出物あるいは中元、歳暮等の贈答の際に、贈り主が商品を選択する負担が軽減される。
【００１４】
（ｂ）例えば、婚礼出席者や葬儀会葬者が商品を持ち帰る負担が軽減される。
【００１５】
（ｃ）受取人は、商品カタログから希望に添った商品を選択することができ、既に所有している商品との重複を解消できる。
【００１６】
（ｄ）希望する商品に相当するポイント数に対し、手持ちのポイント型ギフト券に過不足が生じたとき、ポイント型ギフト券を追加購入することもでき、また余ったポイント型ギフト券を電子マネー等にチャージでき、別途利用の選択ができる。
【発明を実施するための最良の形態】
【００１７】
以下、本発明の実施の形態を図面に基づいて説明する。
【００１８】
図１はギフトセット１１を示し、このギフトセット１１は、商品カタログ１２、ポイント型ギフト券１３と、申込カード１４及び返信用封筒１５とからなる。前記商品カタログ１２は、ポイント数の少ない小額の商品からポイント数の多い高額の商品まで複数種類の商品が掲載されたブック型カタログであり、見開き状態で、左側の頁１６には商品の写真１７が掲載され、右側の頁１８には左側の頁１６の商品の説明文１９、当該商品のポイント数２０、商品申込番号２１等の商品紹介欄２２が掲載されている。
【００１９】
前記ポイント型ギフト券１３は、ポイント数が異なる複数種類の金券であり、例えば、１円が１ポイントに相当する１０００ポイント券１３ａ、５０００ポイント券１３ｂ及び１００００ポイント券１３ｃの３種類である。各ポイント型ギフト券１３の裏面２３には有効期限２４が表示されているとともに、一部には切り取り線２５を挟んで控え券２６が設けられている。
【００２０】
前記申込カード１４は、図２に示すように、申込者が記入する、氏名、住所、電話番号等の届け先記入欄２７、商品の申込番号、数量、ポイント数、合計ポイント数、予約番号等の複数の申込商品記入欄２８、氏名、電話番号等の申込者記入欄２９が設けられている。申込商品記入欄２９の予約番号は、申込商品がゴルフ場、ホテル等の施設利用の場合であって、予め予約した際の予約番号を記入するようになっている。さらに、利用するポイント型ギフト券１３の券番号を記入する券番号記入欄３０、電子マネーを申し込む際の電子マネー番号の記入欄３１等が設けられている。
【００２１】
また、申込カード１４の一部には切り取り線３２を挟んで申込者控えカード３３が設けられている。申込者控えカード３３には、申込商品記入欄２８に記入した事項と同様の事項を覚書として記入する控え記入欄３４が設けられている。なお、申込カード１４の裏面には申込商品記入欄２８と同様の申込商品記入欄（図示しない）が設けられ、表面の申込商品記入欄２８では書ききれない場合に使用できるようになっている。
【００２２】
前記返信用封筒１５は、前記ポイント型ギフト券１３と申込カード１４を同封して配送センターに郵送するためのもので、表面には配送センター宛の住所３５が郵便番号とともに印刷されている。
【００２３】
さらに、前記商品カタログ１２について説明を加えると、巻頭等にはギフトセットの利用説明欄、ポイント型ギフト券１３を電子マネーやプリペイドカードと交換する際の説明欄が設けられている。巻末には商品の索引欄が設けられている。
【００２４】
次に、ギフトセットを用い、婚礼の引き出物を出席者に贈呈する際のギフトシステムについて説明する。
【００２５】
婚礼の主催者である贈答人は、披露宴の終了後、ギフトセット１１を出席者に贈答する。出席者は贈答されたギフトセット１１を持ち帰る。ギフトセット１１は、商品カタログ１２、ポイント型ギフト券１３、申込カード１４及び返信用封筒１５をセットにしたパッケージであり、軽量で、嵩張ることもなく出席者に負担を掛けることはない。
【００２６】
ギフトセット１１を受け取った受取人は、添付されたポイント型ギフト券１３の合計ポイント数を確認した上、商品カタログ１２から希望する商品を選択して申込カード１４に所定事項を記入する。この場合、商品カタログ１２には、ポイント数の少ない小額の商品からポイント数の多い高額の商品まで複数種類の商品が掲載されている。従って、合計ポイント数に合致するポイントが記載された商品を１品選択してもよく、複数の商品の合計ポイント数が、前記ポイントに合致するようにしてもよく、受取人の選択で決められる。
【００２７】
また、受取人が、申込人本人であれば、届け先記入欄２７に本人の住所、氏名を記入し、他人に送付する場合には、届け先記入欄２７に他人の住所、氏名を記入する。申込商品記入欄２８には選択した商品の申込番号、数量、ポイント数等の必要事項を記入する。さらに、申込者記入欄２９に氏名、連絡先等を記入し、さらに申込者控えカード３３にも必要事項を記入する。ポイント型ギフト券１３は、切り取り線２５を挟んで控え券２６が設けられているため、控え券２６を切り離す。また、申込カード１４は、切り取り線３２から申込者控えカード３３を切り離す。そして、申込カード１４とポイント型ギフト券１３の本券を返信用封筒１５に同封して配送センター宛に郵送する。配送センターは、郵送された申込カード１４の内容を確認し、指定された商品を受取人に配送する。
【００２８】
また、ギフトセット１１を受け取った受取人が、商品カタログ１４を見て希望する商品に相当するポイント数に対し、手持ちのポイント型ギフト券１３に不足が生じ、希望する商品を入手できない場合、ポイント型ギフト券１３を追加購入することもできる。すなわち、商品カタログ１４に掲載されている「券追加案内」に従ってポイント型ギフト券１３を追加購入することにより、希望する商品を入手できる。さらに、ポイント型ギフト券１３が余って当面必要がないときには、申込カード１４の電子マネーを申し込む際の電子マネー番号の記入欄３１に必要事項を記入して余ったポイント数を電子マネーにチャージすることもできる。さらに、被災地等への寄付金としても用いることができる。
【００２９】
図３（ａ）は、手持ちのポイント型ギフト券１３が、１５０００ポイントで、商品カタログ１４から１５０００ポイントの商品Ａを１個選択した場合である。
【００３０】
同図（ｂ）は、手持ちのポイント型ギフト券１３が、１５０００ポイントで、商品カタログ１４から１００００ポイントの商品Ｂと５０００ポイントの商品Ｃを１個ずつ選択した場合である。
【００３１】
同図（ｃ）は、手持ちのポイント型ギフト券１３が、１５０００ポイントであるが、１００００ポイントのポイント型ギフト券１３を追加し、商品カタログ１４から２５０００ポイントの商品Ｄを１個ずつ選択した場合である。
【００３２】
同図（ｄ）は、手持ちのポイント型ギフト券１３が、５０００ポイントで、商品カタログ１４から４０００ポイントの商品Ｅを１個選択し、１０００ポイント分が余った場合である。この場合、１０００ポイント、つまり１０００円分を電子マネー３５にチャージすることもでき、１０００円分のクオカード３６と交換することができる。電子マネー３５にチャージあるいはクオカード３６と交換することにより何時でも使用できる。
【００３３】
なお、前記実施形態においては、婚礼の引き出物をギフトセットで贈答する場合について説明したが、葬儀の会葬者への返礼、中元、歳暮、落慶式や各種記念パーテーの引き出物にも使用できる。
【００３４】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００３５】
【図１】本発明の第１の実施形態を示し、ギフトセットの斜視図。
【図２】同実施形態の申込カードの表面図。
【図３】同実施形態のポイント型ギフト券の利用方法を示し、（ａ）〜（ｄ）は異なる利用方法の説明図。
【符号の説明】
【００３６】
１１…ギフトセット、１２…商品カタログ、１３…ポイント型ギフト券、１４…申込カード、１５…返信用封筒、２２…商品紹介欄、２６…控え券、２７…届け先記入欄、２８…申込商品記入欄、２９…申込者名記入欄、３３…申込者控えカード
【図１】
2008207382.tif 000003
【図２】
2008207382.tif 000004
【図３】
2008207382.tif 000005